(57)【要約】【課題】水密性に優れつつも排水性に優れた枠体ユニットを提供する。【解決手段】面材と、前記面材の端部を収容する面材収容部を形成するとともに、長手方向の全長にわたる中空部を有する複数の枠材と、前記面材を囲んで配置される前記複数の枠材のうちの互いに隣り合う２つの前記枠材の前記中空部に各々挿入されて当該２つの枠材を連結する枠材挿入部を備えた連結部材と、を有し、前記複数の枠材のうちの前記面材の下端を収容する前記面材収容部を形成する下枠材は、前記面材収容部と前記中空部とを連通する第一連通孔と、前記枠材挿入部と対向する位置に設けられ、前記中空部と前記枠材の外の屋外空間とを連通する第二連通孔と、を有する。【選択図】図３
2019124031.tif 000002
【特許請求の範囲】
【請求項１】
面材と、
前記面材の端部を収容する面材収容部を形成するとともに、長手方向の全長にわたる中空部を有する複数の枠材と、
前記面材を囲んで配置される前記複数の枠材のうちの互いに隣り合う２つの前記枠材の前記中空部に各々挿入されて当該２つの枠材を連結する枠材挿入部を備えた連結部材と、
を有し、
前記複数の枠材のうちの前記面材の下端を収容する前記面材収容部を形成する下枠材は、
前記面材収容部と前記中空部とを連通する第一連通孔と、
前記枠材挿入部と対向する位置に設けられ、前記中空部と前記枠材の外の屋外空間とを連通する第二連通孔と、
を有することを特徴とする枠体ユニット。
【請求項２】
請求項１に記載の枠体ユニットであって、
前記第一連通孔は、前記枠材挿入部と対向していないことを特徴とする枠体ユニット。
【請求項３】
請求項１または請求項２に記載の枠体ユニットであって、
前記第二連通孔は、前記下枠材において前記中空部を形成する下面部に設けられており、
前記枠材挿入部は、前記下面部と対向する部位に突起を備えていることを特徴とする枠体ユニット。
【請求項４】
請求項３に記載の枠体ユニットであって、
前記第二連通孔は、見込み方向において前記下面部の一部の部位に設けられており、
前記下面部の前記第二連通孔と見込み方向に隣接する部位の上には、前記下面部と前記連結部材の対向する部位との間の第一空間より大きな第二空間が設けられていることを特徴とする枠体ユニット。
【請求項５】
請求項４に記載の枠体ユニットであって、
前記第二連通孔は、前記第二空間と対向していないことを特徴とする枠体ユニット。
【発明の詳細な説明】
【技術分野】
【０００１】
本発明は、面材と、面材を囲む複数の枠材を有する枠体ユニットに関する。
【背景技術】
【０００２】
枠体ユニットとしては、例えば、４５度の傾斜端面を有する縦枠骨及び横枠骨を、互いの傾斜端面同士を相互に突合せ、各々の傾斜している端部にブロックを嵌挿して枠状に組み立てられ、内周側に設けられたパネル嵌合溝にパネルや装飾板が嵌挿される額枠が知られている（例えば、特許文献１参照）。縦枠骨及び横枠骨には、パネル嵌合溝の外周側に長手方向に沿って中空部が設けられており、パネル等の下に位置する下横枠骨には、パネル嵌合溝の底に位置し中空部の上面をなす内周壁と、中空部の下面をなす外周壁部とに排水孔が各々設けられている。そして、パネル嵌合溝に進入した雨水は、内周壁の排水孔より中空部に流入し、外周壁の排水孔より外部に排水される。
【先行技術文献】
【特許文献】
【０００３】
【特許文献１】実公平７−１５０７号公報
【発明の概要】
【発明が解決しようとする課題】
【０００４】
上記のような額枠は、下横枠骨が有する中空部の上面及び下面に設けられた排水孔が対向または近接して設けられているので、パネル嵌合溝に吹き込んだ雨水を効率良く排水することが可能である。しかしながら、その一方で風圧が高い場合には、外周壁の排水孔より中空部内に吹き込んだ雨水が、内周壁の排水孔を通して室内側に進入する虞がある。
本発明は、かかる課題に鑑みてなされたものであり、その目的とするところは、水密性に優れつつも排水性に優れた枠体ユニットを提供することにある。
【課題を解決するための手段】
【０００５】
かかる目的を達成するために本発明の枠体ユニットは、面材と、前記面材の端部を収容する面材収容部を形成するとともに、長手方向の全長にわたる中空部を有する複数の枠材と、前記面材を囲んで配置される前記複数の枠材のうちの互いに隣り合う２つの前記枠材の前記中空部に各々挿入されて当該２つの枠材を連結する枠材挿入部を備えた連結部材と、を有し、前記複数の枠材のうちの前記面材の下端を収容する前記面材収容部を形成する下枠材は、前記面材収容部と前記中空部とを連通する第一連通孔と、前記枠材挿入部と対向する位置に設けられ、前記中空部と前記枠材の外の屋外空間とを連通する第二連通孔と、を有することを特徴とする枠体ユニットである。
【０００６】
このような枠体ユニットによれば、中空部と屋外空間とを連通する第二連通孔が、枠材の中空部に挿入されている枠材挿入部と対向する位置に設けられているので、第二連通孔から風雨が吹き込みにくく、たとえ吹き込んだとしても、第一連通孔に直接向かうことはない。このため、より高い水密性を備えることが可能である。また、枠材挿入部は中空部に挿入されているだけなので、中空部の内面と枠材挿入部の表面との間には、隙間が生じている。このため、風圧が高い場合には風雨の進入を抑えつつも中空部内に進入した雨水等を枠材の外の屋外空間に排出することが可能である。このため、水密性に優れつつも排水性に優れた枠体ユニットを提供することが可能である。また、第二連通孔と対向しているのは、隣り合う枠材を連結する連結部材の枠材挿入部なので、第二連通孔からの雨水の進入を抑える部材を別途設ける必要がない。このため、より安価に、水密性に優れつつも排水性に優れた枠体ユニットを提供することが可能である。
【０００７】
かかる枠体ユニットであって、前記第一連通孔は、前記枠材挿入部と対向していないことが望ましい。
このような枠体ユニットによれば、第一連通孔は枠材挿入部と対向していないので、面材収容部に進入した雨水は妨げられることなく中空部に流入し、中空部と枠材の外の屋外空間とを連通する第二連通孔から速やかに排出される。このため、優れた排水性を備えることが可能である。
【０００８】
かかる枠体ユニットであって、前記第二連通孔は、前記下枠材において前記中空部を形成する下面部に設けられており、前記枠材挿入部は、前記下面部と対向する部位に突起を備えていることが望ましい。
【０００９】
このような枠体ユニットによれば、枠材挿入部には、第二連通孔が設けられている下面部と対向する部位に突起が設けられているので、枠材挿入部と下面部との間には突起の高さ分以上の隙間が確保される。このため、中空部内に進入した雨水を、突起により確保された隙間を通して第二連通孔から排出することが可能である。
【００１０】
かかる枠体ユニットであって、前記第二連通孔は、見込み方向において前記下面部の一部の部位に設けられており、前記下面部の前記第二連通孔と見込み方向に隣接する部位の上には、前記下面部と前記連結部材の対向する部位との間の第一空間より大きな第二空間が設けられていることが望ましい。
【００１１】
このような枠体ユニットによれば、下面部の第二連通孔と見込み方向において隣り合う位置には、下面部と枠材挿入部の対向する部位との間の第一空間より大きな第二空間が設けられているので、たとえ、第二連通孔へと繋がる枠材挿入部と下面との間の第一空間が狭い場合であっても、中空部内に進入した雨水を第二連通孔の見込み方向において隣り合う第二空間に流入させて貯留させ、この第二空間側から第二連通孔を通して排出することが可能である。
【００１２】
かかる枠体ユニットであって、前記第二連通孔は、前記第二空間と対向していないことが望ましい。
このような枠体ユニットによれば、第二連通孔が第二空間と対向していないので、第二連通孔から第二空間に雨水が直接吹き込むことはない。このため、水密性に優れつつも排水性に優れた枠体ユニットを提供することが可能である。
【発明の効果】
【００１３】
本発明によれば、水密性に優れつつも排水性に優れた枠体ユニットを提供することが可能である。
【図面の簡単な説明】
【００１４】
【図１】本実施形態に係る枠体ユニットを示す縦断面図である。
【図２】図１におけるＡ部の拡大図である。
【図３】外横枠材と外縦枠材とが連結部材により連結された状態の中空部内を屋外側から見た図である。
【図４】下側の外横枠材と連結部材とを示す斜視図である。
【発明を実施するための形態】
【００１５】
以下、本発明の一実施形態に係る枠体ユニットについて図面を参照して説明する。
本実施形態では、枠体ユニットが、面材と、面材を囲む複数の枠材とを有し、玄関ドアの採光窓をなしている例を挙げて説明する。
【００１６】
本実施形態の玄関ドア２には、図１に示すように、パネル状の断熱材でなる芯材３ａ、芯材３ａの外周を囲むように設けられた鉄製のフレーム３ｂ、及び、芯材３ａの屋外側及び屋内側の面を覆う鋼板製の表面材３ｃを有する戸体３と、戸体３の中央部に設けられた開口３ｄに取り付けられて玄関ドア２の採光窓を形成する枠体ユニット１と、を有している。
枠体ユニット１は、複数の枠材で構成され、戸体３の開口３ｄに取り付けられる矩形状の額縁１１と、額縁１１により保持される面材としての複層ガラス１０と、を有している。
【００１７】
以下の説明においては、建物等に取り付けられて閉じた状態の玄関ドア２の上下となる方向を上下方向、屋内外方向である奥行き方向を見込み方向または複層ガラスの面外方向、複層ガラスの表面に沿う方向を面内方向、として示す。玄関ドア２の各部位であっても、また、玄関ドア２を構成する各部材については単体の状態であっても、建物等に取り付けられて閉じた状態にて上下方向、見込み方向、面外方向、面内方向、となる方向にて方向を特定して説明する。また、矩形状の額縁１１の、矩形の内側を内周側、外側を外周側として説明する。
【００１８】
額縁１１は、戸体３の屋内側及び屋外側から各々挿入されてビス止めされる内額縁体１２と外額縁体１３と、内額縁体１２を屋内側から覆うカバー材１４と、を有している。
内額縁体１２は、同一断面形状をなす合成樹脂製の押出成形部材でなる４本の内枠材１２ａが、四隅に配置されるコーナー部材を介して矩形状に接合されている。
【００１９】
各内枠材１２ａは、図２に示すように、複層ガラス１０の屋内側面における周端部に当接される止水材１２ｂが一体成形された内ガラス保持部１２ｃが内周側に設けられており、外周側には戸体３の屋内側の表面材３ｃに当接される内表面当接部１２ｄが設けられている。内ガラス保持部１２ｃと内表面当接部１２ｄとは、鉛直面を形成する連結壁部１２ｅにより連結されている。矩形状に接合された内枠材１２ａは、内周側に内ガラス保持部１２ｃが全周に亘って設けられており、外周側に開口３ｄの周縁と全周に亘って対向する内表面当接部１２ｄが設けられている。また、各内枠材１２ａには、内額縁体１２を屋内側から覆う矩形状のカバー材１４が嵌合されている。
【００２０】
外額縁体１３は、上下に配置される外横枠材１５と左右に配置される外縦枠材１６とが矩形状に接合されて構成されている。外横枠材１５と外縦枠材１６とは、同一断面形状をなすアルミニウム製の押出成形部材である。このため、以下では、外横枠材１５と外縦枠材１６との共通する部位については、外横枠材１５を例に挙げて説明し、外縦枠材１６の説明を省略する。
【００２１】
外横枠材１５は、長手方向の全長にわたる中空部１５ａを有する本体部１５１と、本体部１５１から屋内側に延出された板状の屋内延出片１５２と、屋内延出片１５２の屋内側の端に設けられ、内額縁体１２の連結壁部１２ｅを屋内側から貫通するビス４が螺合されるビス螺合部１５３と、を有している。
【００２２】
各外横枠材１５及び各外縦枠材１６は、各々の両端部が４５度に切断され、互いに隣り合う２つの枠材１５、１６同士の端部が突き合わされ、合成樹脂製の成型材でなる連結部材１７により矩形状に連結されている。
【００２３】
各外横枠材１５の本体部１５１は、矩形状に接合された状態で、屋外側の表面材３ｃよりも屋内側であって複層ガラス１０より屋外側にて当該複層ガラス１０と対向する内周面内壁部１５１ａと、戸体３より屋外側にて戸体３が有する屋外側の表面材３ｃにおける開口３ｄの周縁部と対向する外周面内壁部１５１ｂと、外周面内壁部１５１ｂの内周側の縁から屋内側に延出され開口３ｄの内周面と対向し内周面内壁部１５１ａの外周側の端と連結する開口対向壁部１５１ｃと、内周面内壁部１５１ａの内周側の縁から屋外側に延出された内周延出壁部１５１ｄと、外周面内壁部１５１ｂの縁から屋外側に延出された外周延出壁部１５１ｅと、内周延出壁部１５１ｄ及び外周延出壁部１５１ｅと繋がり内周面内壁部１５１ａ及び外周面内壁部１５１ｂと屋外方向の間隔を空けて対向する屋外対向壁部１５１ｆと、により中空部１５ａが形成されている。ここで、外周延出壁部１５１ｅが中空部１５ａの下に位置して当該中空部１５ａを形成する下面部に相当する。
【００２４】
屋外対向壁部１５１ｆの上部側は上方に向かって内周面内壁部１５１ａとの間隔が狭まるような傾斜が設けられている。また、屋外対向壁部１５１ｆの下端部は、屋外対向壁部１５１ｆと外周延出壁部１５１ｅとが直角にならないように面取り程度の傾斜面が設けられている。内周面内壁部１５１ａの内周側の端部には、複層ガラス１０の屋外側面における周端部に当接される止水部材１５４が嵌合される止水部材嵌合部１５１ｇが設けられており、外周面内壁部１５１ｂの外周側の端部には、屋内側に突出して屋外側の表面材３ｃに当接される表面材当接部１５１ｈが設けられている。
【００２５】
屋内延出片１５２は、内周面内壁部１５１ａの止水部材嵌合部１５１ｇと開口対向壁部１５１ｃとの間に設けられており、先端のビス螺合部１５３に内額縁体１２の連結壁部１２ｅを屋内側から貫通するビス４が螺合されると、ビス螺合部１５３が連結壁部１２ｅに当接されて内額縁体１２と外額縁体１３とが一体化される。このとき、屋内延出片１５２より内周側の内周面内壁部１５１ａ及び連結壁部１２ｅと、屋内延出片１５２と、ビス螺合部１５３とにより全周に亘って形成される溝部が、複層ガラス１０の端部１０ａが収容される面材収容部１１ａをなしている。すなわち、外横枠材１５及び外縦枠材１６が、面材の端部を収容する面材収容部を形成するとともに面材の端部に沿って連通する中空部を有する複数の枠材に相当する。
【００２６】
面材収容部１１ａに収容された複層ガラス１０は、内額縁体１２に一体形成された止水材１２ｂと、外額縁体に嵌合された止水部材１５４とに挟持されて額縁１１に保持される。
【００２７】
互いに隣り合う隣接する外横枠材１５と外縦枠材１６とを連結する連結部材１７は、図３、図４に示すように、隣接する外横枠材１５と外縦枠材１６との小口が当接される板状の当接板部１７１と、外横枠材１５及び外縦枠材１６の中空部１５ａ、１６ａに各々挿入されて嵌合される枠材挿入部としての挿入嵌合部１７２が当接板部１７１の両面から各々突出されており、２つの挿入嵌合部１７２が９０度をなすように形成されている。尚、図３は、外横枠材１５と外縦枠材１６とが連結部材１７により連結された状態を示すため、屋外対向壁部１５１ｆを除いた状態を示している。
【００２８】
挿入嵌合部１７２は、内周面内壁部１５１ａと対向し、成型材の連結部材１７のリブでなる内周面内壁部対向部１７２ａと、内周延出壁部１５１ｄと対向する内周延出部対向部１７２ｂと、外周延出壁部１５１ｅと対向する外周延出部対向部１７２ｃと、屋外対向壁部１５１ｆの下部側の見付け面１５１ｉと対向する屋外見付け面対向部１７２ｄと、を有している。内周面内壁部対向部１７２ａと外周延出部対向部１７２ｃとには、対向している内周面内壁部１５１ａまたは外周延出壁部１５１ｅ側に突出する突起１７２ｅが、挿入されている外横枠材１５または外縦枠材１６の長手方向に沿って設けられている。
【００２９】
内周延出部対向部１７２ｂは内周延出壁部１５１ｄに当接し、屋外見付け面対向部１７２ｄは屋外対向壁部１５１ｆの見付け面１５１ｉに当接されている。このため、連結部材１７は、内周延出壁部１５１ｄに内周延出部対向部１７２ｂが当接され、外周面内壁部１５１ｅに外周延出部対向部１７２ｃに設けられた突起１７２ｅが当接して面内方向が規制されて嵌合され、屋外見付け面対向部１７２ｄが屋外対向壁部１５１ｆの見付け面１５１ｉに当接され、内周面内壁部１５１ａに内周面内壁部対向部１７２ａに設けられた突起１７２ｅが当接して面外方向が規制されて嵌合されている。また外横枠材１５及び外縦枠材１６と連結部材１７の挿入嵌合部１７２とは屋内側からビス止めされている。
【００３０】
連結部材１７が、外横枠材１５及び外縦枠材１６に嵌合された状態で、外周延出部対向部１７２ｃは、外周延出壁部１５１ｅの屋内側の部位と対向しており、外周延出壁部１５１ｅの屋外側には、連結部材１７が近接しない空隙Ｓ１が設けられている。
【００３１】
外額縁体１３を構成する外横枠材１５と外縦枠材１６とのうち、複層ガラス１０の下端を収容する下枠材としての下側の外横枠材１５には、面材収容部１１ａと中空部１５ａとを連通する第一連通孔１５ｂが設けられている。第一連通孔１５ｂは、下側の外横枠材１５の長手方向におけるほぼ中央、すなわち、連結部材１７の挿入嵌合部１７２が挿入されていない部位に設けられており、第一連通孔１５ｂの下縁が屋内延出片１５２の上面と同じ高さになるように形成されている。
【００３２】
また、下側の外横枠材１５の外周延出壁部１５１ｅには、長手方向における両端部側に、中空部１５ａ内と屋外空間Ｓ２とを連通する第二連通孔１５ｃが設けられている。第二連通孔１５ｃは、面外方向（見込み方向）において外周延出壁部１５１ｅの一部の部位に設けられており、端部に挿入されている連結部材１７の挿入嵌合部１７２と対向する位置に配置されている。第二連通孔１５ｃの見込み方向の幅は、外周延出部対向部１７２ｃに設けられた突起１７２ｅの見込み方向の幅より広く形成されている。このため、第二連通孔１５ｃは、外周延出部対向部１７２ｃに設けられた突起１７２ｅが、外周延出壁部１５１ｅにおいて第二連通孔１５ｃが設けられていない部位に当接されることにより、外周延出壁部１５１ｅとの間隔を確保しつつ、上方が外周延出部対向部１７２ｃに覆われている。
【００３３】
より具体的には、本実施形態の下側の外横枠材１５に設けられている第二連通孔１５ｃは、見込み方向において外周延出部対向部１７２ｃと対向する部位から外周延出部対向部１７２ｃより屋内側に設けられており、外周延出部対向部１７２ｃと対向する部位より屋外側には設けられていない。すなわち、第二連通孔１５ｃは、見込み方向において外周延出部対向部１７２ｃの一部の部位に設けられている。また、外周延出部対向部１７２ｃにおける第二連通孔１５ｃと屋外側にて隣接する部位の上には、外周延出壁部１５１ｅと外周延出部対向部１７２ｃとの間の第一第一空間としての隙間Ｓ３より大きな第二空間としての空隙Ｓ１が設けられており、この空隙Ｓ１は、中空部１５ａにおいて、内周面内壁部１５１ａの第一連通孔１５ｂが形成されている部位と繋がっている。
【００３４】
本実施形態の枠体ユニット１によれば、中空部１５ａと屋外空間Ｓ２とを連通する第二連通孔１５ｃが、下側の外横枠材１５の中空部１５ａに挿入されている連結部材１７の外周延出部対向部１７２ｃと対向する部位に設けられているので、第二連通孔１５ｃから風雨が吹き込みにくく、たとえ吹き込んだとしても、連結部材１７が第二連通孔１５ｃからの風雨の進入を妨げるので、第一連通孔１５ｂに直接向かうことはない。このため、より高い水密性を備えることが可能である。
【００３５】
また、連結部材１７には、第二連通孔１５ｃが設けられている外周延出壁部１５１ｅと対向する外周延出部対向部１７２ｃに突起１７２ｅが設けられているので、外周延出壁部１５１ｅにおける第二連通孔１５ｃが設けられていない部位と連結部材１７との間には突起１７２ｅの高さ分の隙間Ｓ３が確保されている。このため、中空部１５ａ内に進入した雨水を、突起１７２ｅにより確保される隙間Ｓ３を通して第二連通孔１５ｃから排出することが可能である。すなわち、風圧が高い場合には風雨の進入を抑えるとともに中空部１５ａ内に進入した雨水等を屋外空間Ｓ２に排出することが可能である。このとき、第一連通孔１５ｂは連結部材１７と対向していないので、面材収容部１１ａに進入した雨水は妨げられることなく中空部１５ａに流入し、中空部１５ａと外横枠材１５の外の屋外空間Ｓ２とを連通する第二連通孔１５ｃから速やかに排出される。このため、水密性に優れつつも排水性に優れた枠体ユニット１を提供することが可能である。
【００３６】
また、第二連通孔１５ｃと対向しているのは、隣り合う外横枠材１５及び外縦枠材１６を連結する連結部材１７なので、第二連通孔１５ｃからの雨水の進入を抑えるための部材を別途設ける必要がない。このため、より安価に、水密性に優れつつも排水性に優れた枠体ユニット１を提供することが可能である。
【００３７】
また、中空部１５ａを形成する外周延出壁部１５１ｅの第二連通孔１５ｃと見込み方向において隣り合う位置には、第一連通孔１５ｂが設けられている部位と繋がり外周延出壁部１５１ｅと外周延出部対向部１７２ｃとの隙間Ｓ３より大きな空隙Ｓ１が設けられているので、たとえ、第二連通孔１５ｃへと繋がる連結部材１７と外周延出壁部１５１ｅとの隙間Ｓ３が狭い場合であっても、中空部１５ａ内に進入した雨水を第二連通孔１５ｃの見込み方向において隣り合う空隙Ｓ１に流入させて一旦貯留させ、この空隙Ｓ１側から第二連通孔１５ｃを通して屋外空間Ｓ２に排出することが可能である。
【００３８】
また、第二連通孔１５ｃが空隙Ｓ１と対向していないので、第二連通孔１５ｃから空隙Ｓ１に雨水が直接吹き込むことはない。このため、より水密性に優れ、排水性に優れた枠体ユニット１を提供することが可能である。
【００３９】
上記実施形態においては、第二連通孔１５ｃが空隙Ｓ１と対向していない例について説明したが、第二連通孔１５ｃの一部分と連結部材１７とが対向して、第二連通孔１５ｃからの風雨の吹き込みの妨げとなれば、第二連通孔１５ｃの他の部分は、外周延出部対向部１７２ｃと対向する部位よりも見込み方向に広く設けられていても構わない。また、上記実施形態のように、第二連通孔１５ｃに外周延出部対向部１７２ｃ近接せず、第二連通孔１５ｃと外周延出部対向部１７２ｃとが離れた状態で対向していても、中空部１５ａに挿入された挿入嵌合部１７２が、第二連通孔１５ｃからの風雨の吹き込みの妨げとなる構成であれば構わない。
【００４０】
上記実施形態においては、外周延出部対向部１７２ｃに突起１７２ｅが設けられている例について説明したが、突起１７２ｅは必ずしも設けられていなくともよい。連結部材１７は接着等されることなく、中空部１５ａに挿入されているだけなので、中空部１５ａを形成している外周延出壁部１５１ｅと連結部材１７の外周延出部対向部１７２ｃとの間には、隙間Ｓ３が生じている。このため、外周延出部対向部１７２ｃに突起１７２ｅが設けられていなくとも、中空部１５ａ内に進入した雨水等を外周延出壁部１５１ｅと外周延出部対向部１７２ｃとの間に浸入させて第二連通孔１５ｃから屋外空間Ｓ２に排出することが可能である。
【００４１】
上記実施形態においては、面材を複層ガラス１０としたが、これに限るものではない、例えば、透光性を有する合成樹脂製の面材や、化粧板などであっても構わない。
【００４２】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４３】
１  枠体ユニット、１０  複層ガラス、１１  額縁、１１ａ  面材収容部、
１３  外額縁体、１５  外横枠材、１５ａ  中空部、１５ｂ  第一連通孔、
１５ｃ  第二連通孔、１７  連結部材、１５１ａ  内周面内壁部、
１５１ｅ  外周延出部、１７２ｃ  外周延出部対向部、１７２ｅ  突起、
Ｓ１  空隙、Ｓ２  屋外空間、Ｓ３  隙間、
【図１】
2019124031.tif 000003
【図２】
2019124031.tif 000004
【図３】
2019124031.tif 000005
【図４】
2019124031.tif 000006